(57)【特許請求の範囲】
【請求項１】
キャブの座席後方にエアコン等の大型電装品を搭載し、該大型電装品の前面および上部をカバーにて被蔽した建設機械において、
前記大型電装品の前方上部付近に梁部材を左右方向へ配置するとともに、該梁部材の両端部をキャブの左右壁面に固定し、該梁部材に前記カバーを取り付けた建設機械のキャブであって、
上記梁部材に、ヒューズボックス等の小型電装品を取り付けたことを特徴とする建設機械のキャブの構造。
【請求項２】
上記カバーには、上記大型電装品あるいは小型電装品を点検整備するための蓋を開閉可能もしくは着脱可能に設けたことを特徴とする請求項１記載の建設機械のキャブの構造。
【発明の詳細な説明】
【技術分野】
【０００１】
本発明は建設機械のキャブの構造に関するものであり、特に、キャブの座席後方にエアコン等の大型電装部品を搭載した建設機械のキャブの構造に関するものである。
【背景技術】
【０００２】
従来の此種建設機械のキャブの構造としては、キャブの座席後方にエアコン等の大型電装品を搭載し、後部内壁に取付具を固設するとともに該取付具にプレートを装着し、座席の後部からキャブの背面部にわたって収納部を形成したものが知られている（例えば、特許文献１参照）。
【０００３】
また、キャブの座席両側に立設されたピラーもしくはサイドパネルにほぼ直行して、前記ピラーもしくはサイドパネル間にフレーム補強板を延設した建設機械のキャブの構造が知られている（例えば、特許文献２参照）。
【０００４】
このほか、図４に示すように、キャブ１の床面２に設置した座席３の後方にエアコン等の大型電装品４を搭載し、キャブ１の後部内壁に取付具５を固設してプレート６を装着する。このプレート６の上面には、必要に応じてヒューズボックス等の小型電装品７を設置する。さらに、前記大型電装品４の前面および上部をカバー８にて被蔽する。
【０００５】
また、図５に示すように、キャブ１の後部に床面２から柱９を立設し、該柱９の上にプレート６を載置して、大型電装品４を被蔽する構造も考えられる。
【特許文献１】特開平１１−２１９５１号公報
【特許文献２】特開平１１−１６５６６０号公報
【発明の開示】
【発明が解決しようとする課題】
【０００６】
特許文献１記載の発明は、予め床面に座席やエアコン等の各部品を取り付けた後に、上方からキャブを被せて固定する際に、収納部が前記各部品に接触しないように座席後方に収納部を設けたものである。したがって、キャブの座席後方に搭載されたエアコン等の大型電装品の上面が、後部内壁に装着したプレートですべて覆われてしまう。このため、該大型電装品を点検整備する際は、前記プレートを取り外さなくてはならず、メンテナンス性が悪い。
【０００７】
また、特許文献２記載の発明は、転倒荷重に対する十分な強度を得るために、キャブの座席両側に立設されたピラーもしくはサイドパネル間にフレーム補強板を延設してある。該フレーム補強板によってキャブの剛性は向上するが、座席後方に搭載したエアコン等の大型電装品を点検整備する際は、前記フレーム補強板を取り外さなくてはならず、特許文献１と同様にメンテナンス性が悪い。
【０００８】
図４および図５に示す従来のキャブの構造も、上記特許文献と同様に、大型電装品の点検整備の際にプレートを取り外す必要がある。特にプレートの上面にヒューズボックス等の小型電装品を設置してある場合は、小型電装品を損傷させないように、プレートの取り外しに細心の注意と長い時間を要する。さらに、カバーを装着してある場合は、該カバーを離脱した後にさらにプレートを取り外すことになり、メンテナンス性がきわめて悪い。
【０００９】
そこで、キャブの座席後方にエアコン等の大型電装品を搭載し、該大型電装品の前面および上部をカバーにて被蔽した建設機械において、大型電装品を点検整備する際のメンテナンス性を向上させるために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、キャブの座席後方にエアコン等の大型電装品を搭載し、該大型電装品の前面および上部をカバーにて被蔽した建設機械において、
前記大型電装品の前方上部付近に梁部材を左右方向へ配置するとともに、該梁部材の両端部をキャブの左右壁面に固定し、該梁部材に前記カバーを取り付けた建設機械のキャブであって、
上記梁部材に、ヒューズボックス等の小型電装品を取り付けたことを特徴とする建設機械のキャブの構造を提供する。
【００１１】
この構成によれば、梁部材の両端部がキャブの左右壁面に固定されているので、該梁部材に大型電装品の前面および上部を被蔽するカバーを取り付けることができる。そして、前記カバーを開放または取り外すことによって大型電装品の全体が露出し、梁部材を配置したままであっても大型電装品の点検整備が可能となる。
【００１３】
この構成によれば、上記梁部材は大型電装品の前方上部付近にあって座席のすぐ近くに配置されているので、整備頻度の高いヒューズボックス等の小型電装品を該梁部材に取り付けることにより、小型電装品の点検整備が容易に行える。
【００１４】
請求項２記載の発明は、上記カバーには、上記大型電装品あるいは小型電装品を点検整備するための蓋を開閉可能もしくは着脱可能に設けたことを特徴とする請求項１記載の建設機械のキャブの構造を提供する。
【００１５】
この構成によれば、メンテナンス時に上記カバーに設けられた蓋を開放もしくは離脱することにより、カバー内の大型電装品あるいは小型電装品が露出して点検整備が可能となる。
【発明の効果】
【００１６】
請求項１記載の発明は、キャブの座席後方の左右壁面に梁部材を固定し、該梁部材には大型電装品の前面および上部を被蔽するカバーを取り付けたので、通常時は大型電装品がカバーにて被蔽され、キャブ内の安全性を向上することができ、美観を損ねることもない。大型電装品を点検整備する際は、前記カバーを開放または取り外すことにより、大型電装品の全体が露出して、梁部材を配置したままであっても点検整備が可能となり、メンテナンス性が向上する。
また、この発明は、上記梁部材にヒューズボックス等の小型電装品を取り付けることにより、整備頻度の高い小型電装品が整備しやすい座席に近い場所に配置されて、メンテナンス性が著しく向上する。
【００１８】
請求項２記載の発明は、上記カバーに蓋を開閉可能もしくは着脱可能に設けたので、大型電装品あるいは小型電装品を点検整備する際にカバーを取り外す必要がなく、蓋を開放もしくは離脱するだけで、カバー内の各電装品の点検装備が可能となり、さらにメンテナンス性を向上することができる。
【発明を実施するための最良の形態】
【００１９】
以下、本発明に係る建設機械のキャブの構造について、好適な実施例をあげて説明する。キャブの座席後方にエアコン等の大型電装品を搭載し、該大型電装品の前面および上部をカバーにて被蔽した建設機械において、大型電装品を点検整備する際のメンテナンス性を向上させるという目的を、前記大型電装品の前方上部付近に梁部材を左右方向へ配置するとともに、該梁部材の両端部をキャブの左右壁面に固定し、該梁部材に前記カバーを取り付けることにより実現した。
【実施例１】
【００２０】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００２１】
図２および図３は前記キャブ１４の内部を示し、キャブ１４内部の床面２０に座席２１が設置され、該座席２１の前方に操作レバー２２を設けるとともに、該座席２１の後方にエアコン等の大型電装品２３を搭載する。
【００２２】
この大型電装品２３の前方上部付近には、梁部材２４を左右方向へ配置するとともに、該梁部材２４の両端部をキャブ１４の左右壁面２５に固定する。メンテナンス時に前記大型電装品２３を取り外す場合も考慮して、前記梁部材２４はボルト締め等の取り外し可能な固定方法が好ましい。また、本実施例では梁部材２４としてＬ型鋼を使用するが、該梁部材２４の材質および形状は特に限定されず、他の部材にて形成することもできる。また、該梁部材２４には、ヒューズボックス等の小型電装品２６が取り付けられている。
【００２３】
前記大型電装品２３の前面および上部はキャブ１４の室内幅にわたってカバー２７にて被蔽されており、このカバー２７は上部カバー２７ａと下部カバー２７ｂとに分割されている。上部カバー２７ａは円弧状に湾曲しており、前記大型電装品２３の上部を覆うように配設され、その上端部をキャブ１４の背面２８に固定するとともに、下端部を前記梁部材２４に固定する。該上部カバー２７ａはボルト締め等の取り外し可能な固定方法で取り付けられており、メンテナンス時には、必要に応じて該上部カバー２７ａを取り外すことができる。
【００２４】
あるいは、該上部カバー２７ａの上端部または下端部を回転自在に枢着し、メンテナンス時には該上部カバー２７ａを上方または前方へ開放できるように構成してもよい。この場合、前述の上部カバー２７ａを取り外すよりもメンテナンス性が向上する。
【００２５】
一方、下部カバー２７ｂは前記大型電装品２３の前面を覆うように配設され、その下端部をキャブ１４の床面２０に固定するとともに、上端部を前記梁部材２４に固定する。また、該下部カバー２７ｂの上端部近傍に開閉可能もしくは着脱可能な蓋Ｈを設ける。該蓋Ｈの大きさは特に限定されず、キャブ１４の室内幅にわたって蓋Ｈを設けることができ、あるいは、前記梁部材２４に取り付けた小型電装品２６の付近のみに蓋Ｈを設けてもよい。
【００２６】
該蓋Ｈをキャブ１４の室内幅にわたって設けた場合は、メンテナンス時に下部カバー２７ｂに設けられた蓋Ｈを開放もしくは離脱することにより、カバー内の大型電装品２３の前面およびは小型電装品２６が露出する。これに対して、該蓋Ｈを小型電装品２６の付近のみに設けた場合は、主として小型電装品２６のみが露出する。
【００２７】
いずれの場合であっても、メンテナンス時に該蓋Ｈを開放もしくは離脱することにより、カバー２７内の大型電装品２３あるいは小型電装品２６が露出するため、上部カバー２７ａはもとより下部カバー２７ｂも取り外す必要がなく、大型電装品２３あるいは小型電装品２６の点検整備が可能となる。メンテナンス終了後は、該蓋Ｈを閉鎖もしくは装着して元の状態へ戻す。
【００２８】
このように、従来型の構成と比較して、メンテナンス性が著しく向上する。
【００２９】
なお、本発明は、本発明の精神を逸脱しない限り種々の改変を為すことができ、そして、本発明が該改変されたものに及ぶことは当然である。
【図面の簡単な説明】
【００３０】
【図１】本発明が適用された油圧ショベルの側面図。
【図２】本発明に係るキャブの内部を示す側面図。
【図３】本発明に係るキャブの内部を示す要部斜視図。
【図４】従来のキャブの構造の一例を示す説明図。
【図５】従来のキャブの構造の他の一例を示す説明図。
【符号の説明】
【００３１】
１０    油圧ショベル
１４    キャブ
２１    座席
２３    大型電装品
２４    梁部材
２５    左右壁面
２６    小型電装品
２７    カバー
２７ａ  上部カバー
２７ｂ  下部カバー
２８    背面
Ｈ    蓋 
【図１】
0004510717.tif 000002
【図２】
0004510717.tif 000003
【図３】
0004510717.tif 000004
【図４】
0004510717.tif 000005
【図５】
0004510717.tif 000006